(57)【要約】【課題】一度に多量の便が排泄された場合でも、着用者の肌を汚すことがなく、清潔に保つことができ、また、おむつを廃棄する際の便処理の負担を軽減した使い捨ておむつを提供する。【解決手段】液透過性のトップシートと、液不透過性のバックシートと、これら両シートの間に配置された吸収体とを有し、前身頃と、後身頃と、これら前後身頃の間に位置する股下領域とからなる使い捨ておむつにおいて、少なくとも前記股下領域の着用者の肛門が位置する領域には、前記トップシートには便の通過が可能な開口部が形成され、吸収体が存在せず、前記バックシートに便の通過が可能な開口部が形成され、さらに、前記バックシートの外面には便を収容するための収容袋が前記バックシートに引き剥がし可能に接合されて取付けられていることを特徴とする使い捨ておむつ。【選択図】  図２
2006130188.tif 000002
【特許請求の範囲】
【請求項１】
液透過性のトップシートと、液不透過性のバックシートと、これら両シートの間に配置された吸収体とを有し、前身頃と、後身頃と、これら前後身頃の間に位置する股下領域とからなる使い捨ておむつにおいて、
少なくとも前記股下領域の着用者の肛門が位置する領域には、前記トップシートに便の通過が可能な開口部が形成され、吸収体は存在せず、前記バックシートに便の通過が可能な開口部が形成され、さらに、前記バックシートの外面には便を収容するための収容袋の開口部が前記バックシートの開口部周縁に引き剥がし可能に接合されていることを特徴とする使い捨ておむつ。
【請求項２】
前記トップシート及びバックシートにおける便の通過が可能な開口部は、トップシート及びバックシートに形成されている、切り欠き開口部分、網目状部分及び股下領域の中心部から後身頃側にかけて複数の切り込み線が形成されている部分から選ばれるいずれかの部分よりなる開口部であることを特徴とする請求項１記載の使い捨ておむつ。
【請求項３】
前記収容袋は、前記バックシートにヒートシール処理により接合されていることを特徴とする請求項１又は２に記載の使い捨ておむつ。
【請求項４】
前記収容袋は、前記バックシートに接着剤により接合されていることを特徴とする請求項１〜３のいずれか１項に記載の使い捨ておむつ。
【請求項５】
前記収容袋と前記バックシートの接合部の剥離強度が３．０〜２２．０Ｎ／２５ｍｍであることを特徴とする請求項１〜４のいずれか１項に記載の使い捨ておむつ。
【請求項６】
前記収容袋は、前記バックシートに間欠的に接合されていることを特徴とする請求項１〜５のいずれか１項に記載の使い捨ておむつ。
【請求項７】
前記収容袋の内面には、多数の起毛状の繊維を有するウェブが配置されていることを特徴とする請求項１〜６のいずれか１項に記載の使い捨ておむつ。
【請求項８】
前記収容袋の内面には、水により分解する水解性のウェブが収容袋より分離可能に配置されていることを特徴とする請求項１〜６のいずれか１項に記載の使い捨ておむつ。
【請求項９】
前記収容袋の周縁部の少なくとも一部には、収容袋を引き剥がす際に使用する摘み部が形成されていることを特徴とする請求項１〜８のいずれか１項に記載の使い捨ておむつ。
【発明の詳細な説明】
【技術分野】
【０００１】
本発明は、使い捨ておむつに関するものである。さらに詳しくは、本発明は、着用者の肌に対する便の付着を防止すると共に、使用後の廃棄処理が容易な使い捨ておむつに関するものである。
【背景技術】
【０００２】
使い捨ておむつは、液透過性のトップシートと、液不透過性のバックシートと、これら両シートの間に配置された吸収体とから基本的に形成されており、着用時に排泄された尿等の排泄物を液透過性のトップシートを介して吸収体に保持し、液不透過性のバックシートにより、排泄物が吸収性物品の外に漏れ出すのを防ぐ構造になっている。そしてその用途に応じて好適に使用できるように展開型、パンツ型等、様々な形態のものが提案されており、乳幼児を始めとして成人失禁者まで広く使用されている。
【０００３】
しかしながら、このような使い捨ておむつでは、尿はトップシートを容易に通過して吸収体に吸収されるが、便はトップシート上に残るため、多量の便、特に軟便が排泄された場合には、トップシート上を拡散し、着用者の股間部に付着してしまい、便の排泄に気付くのが遅れた場合には、着用者の肌がかぶれたり、さらにおむつがら漏れ出して衣類を汚してしまう場合もあるため、おむつの取り替えは、母親や介護者にとって大きな負担となっていた。
【０００４】
そのため、従来から、着用者の肌への軟便の付着を防止する方法が検討されており、吸収体の股下領域に開口部を形成し、さらに、バックシートの外側に便を収容する袋を取付けた使い捨ておむつ（特許文献１、特許文献２、特許文献３）が開示されている。
【特許文献１】特開２００３−１９０２０７号公報
【特許文献２】特開２００３−１９０２０８号公報
【特許文献３】特開２００３−２７５２４７号公報
【発明の開示】
【発明が解決しようとする課題】
【０００５】
しかしながら、一般に使い捨ておむつは、便が排泄された場合には、便のみをおむつから取り除いてトイレに廃棄し、おむつは家庭ゴミとして廃棄されており、そのため、従来の吸収体の股下領域に開口部を形成し、バックシートの外側に便を収容する袋を取付けた使い捨ておむつの場合、多量の便を収容することが可能であるが、使用後のおむつを廃棄する場合、袋に収容された便を取出してトイレに廃棄する必要があるが、取出し難く、特に、おむつの装着時に袋に収容された便が逆戻りするのを防止するために、開口部が可能な限り小さく形成されている場合が多く、便の処理に手間がかかるという問題点を有している。
【０００６】
本発明は、上記従来の使い捨ておむつの有する問題点を克服し、着用時に着用者の肌に対する便の付着を防止すると共に、使用後の廃棄処理が容易な使い捨ておむつを提供するものである。
【課題を解決するための手段】
【０００７】
上記従来の使い捨ておむつの有する問題点を解決するための本発明は、以下の各発明を包含する。
【０００８】
（１）液透過性のトップシートと、液不透過性のバックシートと、これら両シートの間に配置された吸収体とを有し、前身頃と、後身頃と、これら前後身頃の間に位置する股下領域とからなる使い捨ておむつにおいて、
少なくとも前記股下領域の着用者の肛門が位置する領域には、前記トップシートに便の通過が可能な開口部が形成され、吸収体が存在せず、前記バックシートに便の通過が可能な開口部が形成され、さらに、前記バックシートの外面には便を収容するための収容袋の開口部が前記バックシートの開口部周縁に引き剥がし可能に接合されていることを特徴とする使い捨ておむつ。
【０００９】
（２）前記トップシート及びバックシートにおける便の通過が可能な開口部は、トップシート及びバックシートに形成されている、切り欠き開口部分、網目状部分及び股下領域の中心部から後身頃側にかけて複数の切り込み線が形成されている部分から選ばれるいずれかの部分よりなる開口部であることを特徴とする（１）項記載の使い捨ておむつ。
【００１０】
（３）前記収容袋は、前記バックシートにヒートシール処理により接合されていることを特徴とする（１）項又は（２）項に記載の使い捨ておむつ。
【００１１】
（４）前記収容袋は、前記バックシートに接着剤により接合されていることを特徴とする（１）項〜（３）項のいずれか１項に記載の使い捨ておむつ。
【００１２】
（５）前記収容袋と前記バックシートの接合部の剥離強度が３．０〜２２．０Ｎ／２５ｍｍであることを特徴とする（１）項〜（４）項のいずれか１項に記載の使い捨ておむつ。
【００１３】
（６）前記収容袋は、前記バックシートに間欠的に接合されていることを特徴とする（１）項〜（５）項のいずれか１項に記載の使い捨ておむつ。
【００１４】
（７）前記収容袋の内面には、多数の起毛状の繊維を有するウェブが配置されていることを特徴とする（１）項〜（６）項のいずれか１項に記載の使い捨ておむつ。
【００１５】
（８）前記収容袋の内面には、水により分解する水解性のウェブが収容袋より分離可能に配置されていることを特徴とする（１）項〜（６）項のいずれか１項に記載の使い捨ておむつ。
【００１６】
（９）前記収容袋の周縁部の少なくとも一部には、収容袋を引き剥がす際に使用する摘み部が形成されていることを特徴とする（１）項〜（８）項のいずれか１項に記載の使い捨ておむつ。
【発明の効果】
【００１７】
本発明の使い捨ておむつは、少なくとも股下領域の着用者の肛門に位置する領域に、トップシートからバックシートを貫通する開口部が形成され、さらに、バックシートの外面には便を収容するための収容袋がバックシートに引き剥がし可能に接合されている。
このような構成の本発明の使い捨ておむつは、一度に多量の便が排泄された場合でも、便は開口部を通過してバックシートの外面に取付けた収容袋に収容されるため、着用者の肌を汚すことがなく、清潔に保つことができる。また、おむつを廃棄する場合には、収容袋を引き剥がして便をトイレに容易に廃棄することができるため、おむつを廃棄する際の負担を大幅に軽減することができる。
【発明を実施するための最良の形態】
【００１８】
以下、図面を参照して、本発明の使い捨ておむつを詳細に説明するが、勿論、本発明はこれらによって何等制限されるものではない。
【００１９】
図１は、本発明の使い捨ておむつをトップシート側から見た場合の一部切り欠き平面図であり、図２は、図１に示す使い捨ておむつをＸ−Ｘ線に沿って切断した状態を示す断面図である。
図１及び図２において、使い捨ておむつ１は、液透過性のトップシート２と、液不透過性のバックシート３と、これら両シートの間に配置された吸収体４とから基本的に形成されており、前身頃５と、後身頃６と、これら前後身頃の間に位置する股下領域７とを有している。また、おむつ１の股下領域７の着用者の肛門が位置する領域には、トップシート２からバックシート３を貫通する開口部８が形成され、さらに、バックシート３の外面には便を収容するための収容袋１３が取付けられており、便が排泄された場合には、開口部８を通過して収容袋１３に達するようになっている。
【００２０】
また、本発明の場合、収容袋の内側面に多数の起毛状の繊維を有するウェブを配置することが好ましく、このような起毛状の繊維を有するウェブを配置することにより、袋内に収容された軟便の移動を抑制することができるため、おむつ着用時に軟便が開口部から逆流したり、接合部から滲み出したりするのを防止することができる。
さらに、本発明の場合、収容袋の内側面に多量の水により分解する水解性のウェブを収納袋面から引き剥がし可能に配置しても良く、このような水解性のウェブを配置することにより、袋内に収容された便を水解性のウェブと一緒に収容袋から引き剥がして、そのままトイレに流して処理することができる。
【００２１】
また、使い捨ておむつ１には、股下領域７において長手方向両側縁に沿って脚周り弾性部材９が配置され、後身頃６の端部領域にはウエスト周り弾性部材１０が配置され、前身頃５から後身頃６にかけての長手方向両側縁には一対の立体ギャザー１１が配置され、さらに、後身頃６の両側縁にはおむつを着用者に装着して保持するためのファスニングテープ１２が取付けられている。
【００２２】
なお、図１では、股下領域の着用者の肛門が位置する領域において、トップシート及びバックシートに矩形状の開口部を形成した例を示したが、開口部としては便の通過が可能なものであれば良く、網目状の開口部を形成しても良く、多数のスリットからなる開口部を形成しても良い。多数のスリットからなる開口部を形成した場合には、おむつ着用時に袋内に収容された軟便が開口部から逆流するのを防止することができる。
また、図１では、股下領域の着用者の肛門が位置する領域において、吸収体が存在しない領域を吸収体に開口部を設けることにより形成したが、股下領域の着用者の肛門が位置する領域より後身頃側には吸収体を配置しないようにしても良い。
【００２３】
図３は、本発明の使い捨ておむつをバックシート側から見た場合の展開平面図である。図３において、使い捨ておむつ１の股下領域７の開口部８が形成されている領域には、開口部８を覆って、バックシート３の外面に便を収容するための収容袋１３が配置され、収容袋１３の周縁部が接合部１４を介してバックシート３に引き剥がし可能に接合されている。また、収容袋１３の両端部には摘み部１５が形成されており、摘み部１５を形成することにより、便を収容袋１３から廃棄する際に収容袋を容易に引き剥がすことが可能となる。
また、おむつ１の前身頃５のバックシート３面には、ファスニングテープ１２を止着するためのフロントシート１６が配置されている。
【００２４】
図４は、本発明の使い捨ておむつの収容袋とバックシートとの接合部の状態を示す拡大平面図である。
図４において、接合部１４は、ヒートシール処理により矩形状の接合パターン１７を間欠的に多数配置して形成されている。このような接合部を形成することにより、収容袋とバックシートとの間の剥離強度を容易に適正な範囲に調整することができる。
また、接合パターン１７は、その長さａが０．５〜１０ｍｍ、幅ｂが０．３〜１．５ｍｍ、隣接する接合パターンの間の距離ｄが０．３〜１．０ｍｍであることが好ましい。
さらに、接合部の剥離強度は３．０〜２２．０Ｎ／２５ｍｍであることが好ましく、剥離強度がこの範囲にあると収容袋をバックシートから容易に剥離することができる。剥離強度が３．０Ｎ／２５ｍｍ未満になると、接合部の強度が弱くなり、おむつを着用中に収容袋が剥離する可能性がある。一方、剥離強度が２２．０Ｎ／２５ｍｍを超えて強くなると、使用後の収容袋をバックシート面から引き剥がす際に引き剥がし難くなる。
なお、上記剥離強度は、図５に示すように、使い捨ておむつ１のバックシート３と収容袋１３と接合部１４を含む部分を２５ｍｍの幅で切り取り、バックシート３と収容袋１３をそれぞれチャックに取付け、テンシロン引張り試験機により２００ｍｍ／ｍｉｎの速度で矢印の方向に引張って測定した１８０°剥離試験の測定値である。
【００２５】
なお、接合部は、ヒートシール処理のみならず接着剤を用いて形成しても良く、また、接合パターンも矩形状のみならず円形、楕円形、三角形等各種の形状に形成することも可能である。
なお、上記実施例では、使い捨ておむつとして後身頃の両側縁部にファスニングテープを取付けた、いわゆるテープ型の使い捨ておむつについて説明したが、本発明はこれに限定されるものではなく、前後身頃の相対する両側縁部を接合してパンツ型に形成した、パンツ型の使い捨ておむつであっても同様の効果を得ることができる。
【００２６】
以下、本発明において使用される材料について説明するが、本発明は、これらによって何等制限されるものではない。
【００２７】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００２８】
本発明において、液不透過性、かつ、通気性のバックシートとしては、微孔を設けたポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを貼り合わせた積層構造のシートを用いることもできる。
【００２９】
本発明において、吸収体としては、通常の使いすておむつのような吸収性物品に使用されるものであればいずれも使用することができる。すなわち、綿状パルプと高吸収性ポリマー（ＳＡＰ）を併用したもの、さらに熱融着繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型でも矩形でも良い。
【００３０】
本発明において、便を収容するための収容袋としては、液不透過性のプラスチックフィルム、液不透過性の不織布、あるいは、液不透過性のプラスチックフィルムに不織布を重ね合わせた複合シート等を用いることができる。さらに、収容袋の内側面に多数の起毛状の繊維を有するウェブを配置することが好ましく、このような起毛状の繊維を有するウェブを配置することにより、袋内に収容された軟便の移動を抑制することができるため、おむつ着用時に軟便が開口部から逆流したり、接合部から滲み出したりするのを防止することができる。また、収納袋の内側面に多量の水により分解する水解性のウェブを収納袋面から引き剥がし可能に配置しても良く、このような水解性のウェブを配置することにより、袋内に収容された便を水解性のウェブと一緒に収容袋から引き剥がして、そのままトイレに流して処理することができる。
【００３１】
起毛状の繊維を有するウェブとしては、表面から起立する多数の繊維を配置した不織布、あるいは表面から起立する多数のループ状の繊維を配置した不織布等を用いることができる。
また、水解性のウェブとしては、レーヨン等の再生セルロース繊維からなる不織布とパルプ繊維からなる紙を積層したものをジェット水流で交絡処理したウェブ、長繊維不織布とパルプ繊維からなる紙を積層したものをジェット水流で交絡処理したウェブ等を有利に使用することができ、その他にもパルプ繊維と再生セルロース繊維を混合抄紙してえられる紙を水溶性接着剤で処理して得られるウェブを使用することもできる。
【００３２】
本発明において、使い捨ておむつには、その長手方向に沿って一対の立体ギャザーを配置することが好ましい。立体ギャザーは、各種の素材により形成することができる。例えば、ポリエチレン、ポリプロピレン、ポリエステル、その他の熱可塑性樹脂を原料とした合成繊維からなる通気性を有する撥水性の不織布を用いて形成することができる。あるいは、サイドフラップを形成する不織布として広幅のものを用い、サイドフラップを形成するとともにおむつの内側へ延出する部分で立体ギャザーを形成しても良い。さらに、トップシートとして広幅のものを用い、トップシートの吸収体の両側縁から延出する部分で立体ギャザーを形成しても良い。
【００３３】
また、立体ギャザーの自由部の側縁部には伸縮弾性部材が配置されている。伸縮弾性部材としては、天然系、合成系のウレタン糸、糸ゴム、平ゴム等の通常の使いすておむつに使用される伸縮弾性部材をそのまま使用することができ、これらの伸縮弾性部材を伸長状態で自由部の側縁部に配置し、ホットメルト接着剤などにより接着固定される。
【００３４】
本発明において、使い捨ておむつには、脚周り開口部及びウエスト周り開口部に沿って伸縮弾性部材を配置することができる。伸縮弾性部材としては、天然系、合成系のウレタン糸、糸ゴム、平ゴム等の通常の使いすておむつに使用される伸縮弾性部材をそのまま使用することができ、これらの伸縮弾性部材を伸長状態で配置し、ホットメルト接着剤などにより接着固定される。
【００３５】
本発明において、ファスニングテープは、各種のフィルムまたは不織布シートを用いることができ、これらの材料を単独で、あるいは数種類の材料を積層して形成され、その一方の端部領域がおむつの後身頃の両側縁部に接着固定され、もう一方の端部領域には機械的ファスナーのフック材が取付けられる。また、フック材を取付けた部分の外側には、摘持部を有していることが好ましい。
【００３６】
本発明において、ファスニングテープを止着可能なフロントシートとしては、ポリエチレン、ポリプロピレン、ポリエステル、その他の熱溶融性樹脂を原料とした合成繊維を含有する不織布により形成することができる。上記不織布は、上記原料合成繊維の単体からなる繊維、又は２種類の合成樹脂原料を使用した芯鞘繊維を１種類又は複数混合したものから構成される。また、不織布は、熱溶融性合成繊維と他の天然繊維又は合成繊維の混合原料から製造されるものであってもよい。
【産業上の利用可能性】
【００３７】
本発明の使い捨ておむつは、少なくとも股下領域の着用者の肛門に位置する領域に、トップシートからバックシートを貫通する開口部が形成され、さらに、バックシートの外面には便を収容するための収容袋がバックシートに引き剥がし可能に取付けられている。このような構成の本発明の使い捨ておむつは、一度に多量の便が排泄された場合でも、便は開口部を通過してバックシートの外面に取付けた収容袋に収容されるため、着用者の肌を汚すことがなく、清潔に保つことができ、また、おむつを廃棄する場合には、収容袋を引き剥がして便をトイレに容易に廃棄することができるため、おむつを廃棄する際の負担を大幅に軽減することができるものであり、乳幼児を始めとして成人失禁者用の使い捨ておむつとして有用である。
【図面の簡単な説明】
【００３８】
【図１】本発明の使い捨ておむつをトップシート側から見た場合の一部切り欠き平面    図である。
【図２】図１に示す使い捨ておむつをＸ−Ｘ線に沿って切断した状態を示す断面図で    ある。
【図３】本発明の使い捨ておむつをバックシート側から見た場合の平面図である。
【図４】本発明の使い捨ておむつの収容袋とバックシートとの接合部の状態を示す拡    大平面図である。
【図５】本発明の使い捨ておむつのバックシートと収容袋との接合部の剥離強度の測定方法を示す説明図である。
【符号の説明】
【００３９】
１：使い捨ておむつ
２：液透過性のトップシート
３：液不透過性のバックシート
４：吸収体
５：前身頃
６：後身頃
７：股下領域
８：開口部
９：脚周り弾性部材
１０：ウエスト周り弾性部材
１１：立体ギャザー
１２：ファスニングテープ
１３：収容袋
１４：接合部
１５：摘み部
１６：フロントシート
１７：接合パターン
ａ：接合パターンの長さ
ｂ：接合パターンの幅
ｄ：接合パターンの間の距離
【図１】
2006130188.tif 000003
【図２】
2006130188.tif 000004
【図３】
2006130188.tif 000005
【図４】
2006130188.tif 000006
【図５】
2006130188.tif 000007